(57)【特許請求の範囲】
【請求項１】
第１装置は第１アカウントナンバーで第２サーバーに登録並びに接続し、
第２装置は第２アカウントナンバーで第２サーバーに登録並びに接続し、
該第２装置がウェブページを読み取ってコメントを生成し、該第２サーバーが該コメントと該ウェブページ情報を取得し並びに保存し、
該第１装置がウェブページを読み取り、該ウェブページのウェブページ情報を該第１アカウントナンバーの追跡ターゲットに記録し、
該第１装置が該ウェブページの少なくとも一つの該ウェブページ情報を、該第２サーバー或いは少なくとも一つの第３装置に伝送した場合に、該ウェブページ情報に対応する少なくとも一つのコメントを、該第２サーバー或いは該第３装置より取得し、該ウェブページと該コメントを、同時に該第１装置に表示し、
該第１装置は該第２装置の第２アカウントナンバーを該第１アカウントナンバーの追跡ターゲットに記録することを特徴とする、ウェブページコメントの共有及び追跡の方法。
【請求項２】
請求項１記載のウェブページコメントの共有及び追跡の方法において、該第２装置はコメントの権限開放リストに該第１アカウントナンバーを記入することを特徴とする、ウェブページコメントの共有及び追跡の方法。
【請求項３】
請求項１記載のウェブページコメントの共有及び追跡の方法において、該第２装置は該コメントに対応するパスワードを設定し、該第２サーバー或いは該第３装置は、該第１装置が該パスワードを入力した後に該第１装置に該コメントの読み取りを許可することを特徴とする、ウェブページコメントの共有及び追跡の方法。
【請求項４】
請求項１記載のウェブページコメントの共有及び追跡の方法において、該第１装置は、該第１装置自身、第１サーバー或いは該第２サーバーより該ウェブページを読み取ることを特徴とする、ウェブページコメントの共有及び追跡の方法。
【請求項５】
請求項１記載のウェブページコメントの共有及び追跡の方法において、該第１装置は、直接該第１サーバーに接続されるか、該第２サーバーに接続され、更に該第２サーバーを介して該第１サーバーに接続されることを特徴とする、ウェブページコメントの共有及び追跡の方法。
【請求項６】
請求項１記載のウェブページコメントの共有及び追跡の方法において、該第３装置は、該第２サーバーより該コメントを取得することを特徴とする、ウェブページコメントの共有及び追跡の方法。
【請求項７】
請求項１記載のウェブページコメントの共有及び追跡の方法において、該第１装置は、コメントプログラムを通して該ウェブページを読み取り、該ウェブページ情報をキャプチャし、該ウェブページ情報を伝送するか或いは該コメントを読み取ることを特徴とする、ウェブページコメントの共有及び追跡の方法。
【請求項８】
請求項７記載のウェブページコメントの共有及び追跡の方法において、該コメントプログラムはブラウザプログラム或いはブラウザプログラムにブラウザプラグインを追加したものとされ、該第１装置は、該ブラウザプログラムを通して該ウェブページを読み取り、並びに該ブラウザプログラム或いは該ブラウザプラグインを通して該ウェブページ情報をキャプチャし、該ウェブページ情報を伝送するか或いは該コメントを読み取ることを特徴とする、ウェブページコメントの共有及び追跡の方法。
【請求項９】
請求項１記載のウェブページコメントの共有及び追跡の方法において、該第２装置は該第２装置本身、第１サーバー或いは該第２サーバーより該ウェブページを読み取ることを特徴とする、ウェブページコメントの共有及び追跡の方法。
【請求項１０】
請求項１記載のウェブページコメントの共有及び追跡の方法において、該第２装置は直接該第１サーバーに接続されるか或いは該第２サーバーに接続され、更に該第２サーバーを介して該第１サーバーに接続されることを特徴とする、ウェブページコメントの共有及び追跡の方法。
【請求項１１】
請求項１記載のウェブページコメントの共有及び追跡の方法において、該第２装置はコメントプログラムを通して該ウェブページを読み取り、該ウェブページ情報をキャプチャし、該コメントを発生し、該コメントと該ウェブページ情報を伝送するか或いは該コメントを読み取ることを特徴とする、ウェブページコメントの共有及び追跡の方法。
【請求項１２】
請求項１１記載のウェブページコメントの共有及び追跡の方法において、該コメントプログラムは、ブラウザプログラム或いはブラウザプログラムにブラウザプラグインを追加したものとされ、該第２装置は、該ブラウザプログラムを通して該ウェブページを読み取り、並びに該ブラウザプログラム或いは該ブラウザプラグインを通して該ウェブページ情報をキャプチャし、該コメントを発生し、該コメントと該ウェブページ情報を伝送するか或いは該コメントを読み取ることを特徴とする、ウェブページコメントの共有及び追跡の方法。
【請求項１３】
請求項１記載のウェブページコメントの共有及び追跡の方法において、該ウェブページ情報は該ウェブページのウェブアドレス、該ウェブページの少なくとも一つの文字段落、該ウェブページの少なくとも一つのイメージ、該ウェブページの少なくとも一つの動画、該ウェブページの少なくとも一つの嵌め込み外部データ或いは該ウェブページの少なくとも一つの外部リンクウェブアドレスを包含することを特徴とする、ウェブページコメントの共有及び追跡の方法。
【発明の詳細な説明】
【技術分野】
【０００１】
本発明は共有と追跡の方法に係り、特に、使用者に、ウェブページ内容に対してコメントを作成させ、かつ全体或いは一部の使用者に共有させ、及び、特定目標の新たに増加したコメントを設定追跡するウェブページコメントの共有及び追跡の方法に関する。
【背景技術】
【０００２】
現代人のネットワーク使用の時間はますます長くなり、ネットワークは次第にその他の情報媒体に代わって現代人の生活中、最も重要なメッセージソースとなっている。ネットワーク使用者がウェブページをブラウズして情報を獲得する時には、経常的にある意見が発生し、このような意見を発表したり或いはその他の使用者と意見を交流したりする必要があるときは、通常、ウェブページ内で提供されるメッセージメカニズムを使用してメッセージを残すか、或いはウェブページのウェブアドレス或いは内容を使用者自身が運営使用するウェブサイト、たとえばブログ、マイクロブログ或いはソーシャルネットワークサイトのパーソナルスペースに転載し、これらウェブサイトが提供するメッセージメカニズムを利用して意見を発表し、そしてその他の使用者とメッセージを通して相互に交流する。
【０００３】
直接ウェブページでメッセージを発表する方式は、ウェブページ自身のメッセージメカニズムを利用する必要があるが、全てのウェブページがこのような機能を有しているわけではなく、メッセージメカニズムを提供するウェブページであっても、使用者がウェブページが所属するウェブサイトのアカウントナンバーを登録しなければ、ウェブページ中のメッセージメカニズムを使用できないように制限している場合がある。しかし、これは却って、使用者が各ウェブサイトの登録会員にならなければならず、手続きが煩瑣であるのみならず、各ウェブサイト中で使用するアカウントナンバーとパスワードを記憶しておかねばならない。現代、インターネットの規模は膨大であり、メッセージを残そうとするたびに、ウェブサイトにアカウントナンバーを登録するのは相当に面倒で且つ現実的ではない。ウェブサイトには、匿名或いはログイン不要のメッセージ機能を提供しているものもあるが、その一方で、使用者は自分の発言が識別できるだけで、重複した干渉を受けやすく、使用者により残される情報は比較的少なく、また使用者間でのさらに一歩近づいた交流或いは相互追跡には不利である。
【０００４】
ウェブアドレス或いは内容を自身が運営使用するウェブサイトに転載し、さらに意見を発表し並びにその他の使用者と交流する方式は、比較的なじみのある使用者間では討論が可能である。しかし、前者は、オリジナルのウェブページに戻らなければウェブページ内容をブラウズできず、ページを切り換えるか、ウインドウ或いはページを分割しなければ、オリジナルのウェブページの内容と意見の内容を対照して討論できず、相当に不便である。後者は、他人の知的財産権を侵犯する恐れがある。
【０００５】
これらを鑑み、本発明の発明者は、既存の技術中の、各ウェブサイトで意見を発表するときに発生する問題と不便に対して研究を行ない、使用者が、任意のウェブページのページにおいて、いずれか一部分のウェブページ内容に対してメッセージを残し、並びに全体或いは一部の使用者と共有できるようにし、使用者がブラウズするウェブページ外に別途一つのプラットフォームを提供し、使用者が該ウェブページの内容に対する意見を発表できるようにし、並びに使用者の意見とオリジナルのウェブページ内容を同時に表示できるようにし、使用者が閲読するときに相互対照するのに便利とする方法を構想、開発した。本発明者は、この構想、概念を基礎として不断の研究開発と改良の末本発明を生み出した。
【発明の概要】
【発明が解決しようとする課題】
【０００６】
これにより、本発明はウェブページコメントの共有及び追跡の方法を提供し、それは、第１装置でウェブページを読み取り、並びに該ウェブページの少なくとも一つのウェブページ情報により、第２サーバー或いは少なくとも一つの第３装置より該ウェブページに対応する少なくとも一つのコメントを取得し、並びに該ウェブページと該コメントを同時に該第１装置に表示する。該コメントの発生のステップは、第２装置が該ウェブページを読み取り並びに該ウェブページ情報に対応する該コメントを発生し、且つ該第２サーバーに該コメントと該ウェブページ情報を保存する。そのうち、該ウェブページは該ウェブページのウェブアドレス、該ウェブページの少なくとも一つの文字段落、該ウェブページの少なくとも一つのイメージ、該ウェブページの少なくとも一つの動画、該ウェブページの少なくとも一つの差込み外部データ或いは該ウェブページの少なくとも一つの外部リンクアドレスを包含し得る。
【０００７】
本発明の実施により、使用者はウェブページをブラウズする時、ウェブページ内容に対応するコメントを発表できるようになり、ならびに全体或いは一部の使用者と共有し、こうしてコメントがウェブページのウェブアドレスに対応するのみならず、さらにウェブページの内容に関連し、ウェブページ内容が転載或いは引用される時、この内容を転載或いは引用するウェブページにより、関係するコメントも読み取られ、コメントが、これにより、さらに多くの使用者に読み取られる機会を得て、さらにコメントの共有性と伝播性を強化する。コメントは、コメント保存機能を提供するサーバーにより取得されるのみならず、その他の使用者装置により取得可能であり、サーバーの負担を減らし、かつコメント読み取り性能を加速できるようにする。
【０００８】
このほか、本発明はまた、特定使用者アカウントナンバー或いは特定ウェブページ列を追跡目標とする機能を提供し、これにより使用者が特定使用者アカウントナンバーが発表する最新コメント、或いは特定ウェブページ内容に対応して発表される最新コメントに注意を払うことができるようにする。
【０００９】
すなわち、本発明の目的は、ウェブページコメントの共有及び追跡の方法を提供し、使用者がウェブページを閲覧する時に、該ウェブページ内容に対応するコメントを読み取り、ならびにウェブページとコメントを同時に表示できるようにすることにある。
【００１０】
本発明の目的は、ウェブページコメントの共有及び追跡の方法を提供し、使用者がウェブページを閲覧する時に、該ウェブページ内容に対応してコメントを発生させ、かつその他の使用者と共有できるようにすることにある。
【００１１】
本発明の目的は、ウェブページコメントの共有及び追跡の方法を提供し、使用者が特定使用者アカウントナンバー或いは特定ウェブページ内容を追跡目標にラインアップし、使用者が特定使用者アカウントナンバーが発表するコメント、或いは特定ウェブページ内容に対応するコメントに注目できるようにすることにある。
【００１２】
本発明の目的は、ウェブページコメントの共有及び追跡の方法を提供し、使用者が編集権限開放者リスト或いは暗号設定の方式により、その他の使用者のコメント閲覧を制限できるようにすることにある。
【課題を解決するための手段】
【００１３】
上述の目的を達成するため、本発明はウェブページコメントの共有及び追跡の方法を提供し、そのステップは、第１装置がウェブページを読み取るステップ、及び該第１装置が該ウェブページのウェブページ情報により第２サーバー或いは少なくとも一つの第３装置より該ウェブページに対応する少なくとも一つのコメントを取得し、該ウェブページと該コメントを該第１装置に同時に表示するステップ、を包含する。
【００１４】
該コメントの発生ステップは、第２装置が該ウェブページを読み取るステップ、及び、該第２装置が該ウェブページ情報に対応して該コメントを発生し、該第２サーバーが該コメントと該ウェブページ情報を取得し並びに保存するステップ、を包含する。
【００１５】
そのうち、該ウェブページ情報は、該ウェブページのウェブアドレス、該ウェブページの少なくとも一つの文字段落、該ウェブページの少なくとも一つのイメージ、該ウェブページの少なくとも一つの動画、該ウェブページの少なくとも一つの嵌め込み外部情報或いは該ウェブページの少なくとも一つのリンクウェブアドレスを包含し得る。
【発明の効果】
【００１６】
上述の装置の設置と方法の実施により、本発明はウェブページを閲覧する時に、併せて該ウェブページ内容に対応するコメントを表示でき、使用者は以前にその他の使用者或いは使用者自身が発表した該ウェブページ内容に対するコメントを表示させることができ、コメントは、ウェブページ内容を延伸した関係情報、心得、感想、意見、評価、疑問或いは回答等とされ得る。
【００１７】
本発明はまた、使用者に、該ウェブページ内容に対応するコメントを発布させ、並びに全体或いは一部の使用者に共有させて、使用者間でウェブページ関係情報、心得、感想、意見、評価、疑問或いは回答を共有できるプラットフォームを提供する。
【００１８】
さらに、本発明は、アカウントナンバーで該第２サーバーにログインし、そして特定使用者アカウントナンバー或いは特定ウェブページ内容を追跡目標として設定する機能を組合せて、使用者に特定使用者アカウントナンバーが発布するコメント或いは特定ウェブページ内容に対応するコメントに注目させることができ、ウェブページコメントの交流プラットフォームの基礎に基づき、インタラクティブソーシャルネットワークの使用モデルを発展させることができる。
【図面の簡単な説明】
【００１９】
【図１】本発明の第１実施例のコメント読み取り装置の表示図である。
【図２】本発明の第１実施例のコメント読み取り装置のコメント読み取りフローチャートである。
【図３】本発明の第１実施例のコメント発生装置表示図である。
【図４】本発明の第１実施例のコメント発生フローチャートである。
【図５】本発明の第２実施例の追跡設定装置表示図である。
【図６】本発明の第２実施例の追跡設定フローチャートである。
【図７Ａ】本発明の第３実施例のコメント設定装置の表示図（一）である。
【図７Ｂ】本発明の第３実施例のコメント設定装置の表示図（二）である。
【図８】本発明の第３実施例のコメント設定フローチャートである。
【図９】本発明の第４実施例の装置表示図である。
【発明を実施するための形態】
【００２０】
本発明の技術内容、構造特徴、達成する目的を詳細に説明するため、以下に実施例を挙げ並びに図面を組み合わせて説明する。
【００２１】
本発明のウェブページコメントの共有及び追跡の方法の特色は、使用者がウェブページを閲覧する時に、併せて該ウェブページ内容に対応するコメントを取得並びに表示し、かつ使用者に該ウェブページ内容に対応するコメントを発布させることもでき、これにより、使用者間でウェブページ内容に対応するコメントを共有させることで交流を形成し、使用者は編集権限開放リスト或いはパスワード設定の方式で、その他の使用者のコメント閲読を制限できる。
【００２２】
また、本発明は、使用者に、特定使用者アカウントナンバー或いは特定ウェブページ内容を追跡目標としてラインアップする機能を提供し、これにより使用者に特定使用者アカウントナンバーが発表するコメントあるいは特定ウェブページ内容に対応するコメントに注目させることができる。
【００２３】
図１及び図２を併せて参照されたい。各図は本発明の第１実施例のコメント読み取り装置の表示図とコメント読み取りフローチャートである。図１に示すように、本発明のコメント読み取りの方法は、第１装置１、第１サーバー３、第２サーバー４、及び第３装置５を包含する。該第１装置１は、該第１サーバー３、該第２サーバー４及び該第３装置５にそれぞれ接続されている。
【００２４】
該第１サーバー３は、ウェブページＰ１を保存し、該第２サーバー４はウェブページ情報Ｉ１とコメントＣ１を保存し、該ウェブページ情報Ｉ１は該ウェブページＰ１よりキャプチャし、該コメントＣ１は該ウェブページ情報Ｉ１に対応する。該第３装置５もまた該ウェブページ情報Ｉ１と該コメントＣ１を保存し、該ウェブページ情報Ｉ１は該ウェブページＰ１より取得するか、或いは該第２サーバー４より取得し、該コメントＣ１は該第２サーバー４より取得する。
【００２５】
該ウェブページ情報Ｉ１は該ウェブページＰ１に対応するウェブアドレス或いは該ウェブページＰ１が包含する少なくとも一つの文字段落、少なくとも一つのイメージ、少なくとも一つの動画、少なくとも一つの嵌め込み外部情報或いは少なくとも一つのリンクウェブアドレス等のウェブページ内容を包含し得る。
【００２６】
図２に示されるように、本発明のコメント読み取りのフローは以下のステップを包含する。
ステップＳ１１：第１装置がウェブページを読み取る。
ステップＳ１２：該第１装置が該ウェブページの少なくとも一つのウェブページ情報により第２サーバー或いは第３装置よりコメントを取得し、該ウェブページと該コメントを同時に該第１装置に表示する。
【００２７】
ステップＳ１１中、該第１装置１は、該第１サーバー３に接続され、かつ該第１サーバー３の該ウェブページＰ１を読み取り並びに保存するか、前もって該ウェブページＰ１を該第１サーバー３より取得し、そして保存した該第２サーバー４或いは該第１装置１より該ウェブページＰ１を読み取る。
【００２８】
ステップＳ１２中、該第１装置１は該第２サーバー４或いは該第３装置５より該ウェブページ情報Ｉ１に対応する該コメントＣ１を取得する。
【００２９】
ステップＳ１２は、三種類の方式により達成可能である。その一つは、該第１装置１が該ウェブページＰ１よりキャプチャした該ウェブページ情報Ｉ１を該第２サーバー４に伝送し、該第２サーバー４がこれを受けて該ウェブページ情報Ｉ１により該コメントＣ１を検索して取得し、並びに該コメントＣ１を該第１装置１に送る。
【００３０】
二つ目は、該第１装置１が該ウェブページＰ１よりキャプチャした該ウェブページ情報Ｉ１を該第２サーバー４に伝送し、該第２サーバー４がこれを受けて該ウェブページ情報Ｉ１を該第３装置５に分配して該第１装置１と接続し、並びに該第３装置５に該コメントＣ１を該第１装置１に伝送する。
【００３１】
三つ目は、該第３装置５が該第１装置１より該ウェブページ情報Ｉ１を受け取った後に、該コメントＣ１を該第１装置１に伝送し、該第１装置１が該第２サーバー４或いは該第３装置５より該コメントＣ１を取得した後、該コメントＣ１を該ウェブページＰ１と同時に該第１装置１に表示する。
【００３２】
該第３装置５は同様に、前述のステップＳ１１〜ステップＳ１２により、該第２サーバー４より該コメントＣ１を取得、保存し、ピアツーピア（ｐｅｅｒ−ｔｏ−ｐｅｅｒ，Ｐ２Ｐ）技術を利用し、該コメントＣ１を該第１装置１或いはその他の該コメントＣ１を読み取る必要がある装置に伝送する。
【００３３】
また、該第１装置１がもし該コメントＣ１を保存すれば、その他の装置も該コメントＣ１を読み取る必要がある時には、該コメントＣ１をその他の装置に伝送する。このように各非サーバー装置間の接続及び該コメントＣ１の伝送、共有を利用することで、該第２サーバー４の負担を減らすことができる。
【００３４】
本実施例はさらに、該第１装置１中で実行される第１コメントプログラム１０、該第１装置１が包含する第１表示装置１４及び該第３装置５中で実行される第３コメントプログラム５０を包含し得る。
【００３５】
該第１装置１は、該第１コメントプログラム１０により該第１サーバー３及び該第２サーバー４或いは該第３装置５に接続される。並びに該第１コメントプログラム１０により該ウェブページＰ１を読み取り、該ウェブページ情報Ｉ１をキャプチャし、該ウェブページ情報Ｉ１を伝送しさらに該コメントＣ１を読み取る。該第３装置５は該第３コメントプログラム５０により、該コメントＣ１を該第１装置１に伝送する。
【００３６】
また、該第１コメントプログラム１０は該第１装置１中で実行される時、すなわち、該第１表示装置１４が第１メインウインドウＷ１０と第１サブウインドウＷ１２を表示し、かつ該ウェブページＰ１を該第１メインウインドウＷ１０に表示し、並びに該コメントＣ１を該第１サブウインドウＷ１２に表示する。該第１サブウインドウＷ１２は、該第１メインウインドウＷ１０に重ねて表示するか或いは平行に表示され、使用者は該ウェブページＰ１を対照して該コメントＣ１を閲読するか或いは該コメントＣ１を対照して該ウェブページＰ１を閲読できる。
【００３７】
また、該第１コメントプログラム１０は、特殊開発されたブラウザとするか、或いは、既存のブラウザ（たとえばＩＥ（登録商標）、Ｆｉｒｅｆｏｘ（登録商標）、Ｃｈｒｏｍｅ（登録商標）、ｓａｆａｒｉ（登録商標）、Ｏｐｅｒａ（登録商標））に、ウェブページ情報キャプチャとコメント読み取り等の機能を付加したブラウザプラグインとするか、或いは、その他の方式で実施し得て、ウェブページ閲覧とコメント閲読の機能を達成する。
【００３８】
ステップＳ１１〜ステップＳ１２の実施により、第１使用者は該第１装置１を利用して各第１サーバー３に接続し、かつ各サーバー中に保存された各ウェブページＰ１を読み取り、該第２サーバー４に接続しそして該第２サーバー４が各第１サーバー３より取得しまた保存した各ウェブページＰ１を読み取るか或いは該第１装置１中より該第１装置１が前もって各第１サーバー３より取得し並びに保存した各ウェブページＰ１を読み取る。
【００３９】
且つ該第２サーバー４或いは各第３装置５より該ウェブページＰ１の該ウェブページ情報Ｉ１に対応して該コメントＣ１を取得し、そして該コメントＣ１と該ウェブページＰ１を同時に表示し、該第１使用者に該ウェブページＰ１と該コメントＣ１を相互に対照並びに閲覧させる。
【００４０】
本実施例中、該コメントＣ１は第２使用者により該第２装置２を介して発生され、並びに該第２サーバー４に保存される。該コメントＣ１の発生のステップフローについては、以下の説明を参照されたい。
【００４１】
図３と図４を併せて参照されたい。各図は本発明の第１実施例のコメント発生装置表示図及びコメント発生フローチャートである。図３に示されるように、本発明のコメント発生の方法は、第２装置２、第１サーバー３及び第２サーバー４を包含する。該第２装置２は、それぞれ該第１サーバー３と該第２サーバー４に接続される。
【００４２】
該第１サーバー３はウェブページＰ１を保存し、該第２サーバー４は本フロー完成後には、ウェブページ情報Ｉ１とコメントＣ１を保存し、該ウェブページ情報Ｉ１は該ウェブページＰ１よりキャプチャし、該コメントＣ１は、該ウェブページ情報Ｉ１に対応する。
【００４３】
前述したように、該ウェブページ情報Ｉ１は該ウェブページＰ１に対応するウェブアドレス或いは該ウェブページＰ１が包含する少なくとも一つの文字段落、少なくとも一つのイメージ、少なくとも一つの動画、少なくとも一つの嵌め込み外部情報或いは少なくとも一つのリンクウェブアドレス等のウェブページ内容を包含し得る。
【００４４】
図４に示されるように、本発明のコメント発生のフローは、以下のステップを包含する。
ステップＳ２１：第２装置がウェブページを読み取る。
ステップＳ２２：該第２装置が、該ウェブページの少なくとも一つのウェブページ情報に対応し少なくとも一つのコメントを発生する。
ステップＳ２３：該第２サーバーが該コメントと該ウェブページ情報を取得並びに保存する。
ステップＳ２１〜ステップＳ２３はステップＳ１２の前に発生する。
【００４５】
ステップＳ２１中、該第２装置２は該第１サーバー３に接続し、かつ該第１サーバー３に保存された該ウェブページＰ１を読み取るか、或いは前もって該第１サーバー３より該ウェブページＰ１を取得並びに保存した該第２サーバー４或いは該第２装置２より、該ウェブページＰ１を読み取る。
【００４６】
その後、ステップＳ２２中で、該第２装置２が、該ウェブページＰ１よりキャプチャした該ウェブページ情報Ｉ１に対応して該コメントＣ１を発生する。
【００４７】
最後に、ステップＳ２３中で、該第２装置２は該コメントＣ１と該ウェブページ情報Ｉ１を該第２サーバー４に伝送し、該第２サーバー４は、該コメントＣ１と該ウェブページ情報Ｉ１を保存し、かつ該コメントＣ１を該ウェブページ情報Ｉ１に対応させる。
【００４８】
ステップＳ２１の後、ステップＳ２２の前に、さらに、ステップＳ２２０が包含され得る。該ステップＳ２２０において、該第２装置２は該ウェブページＰ１よりキャプチャした該ウェブページ情報Ｉ１を該第２サーバー４に伝送する。該第２サーバー４はこれを受けて該ウェブページ情報Ｉ１により該ウェブページ情報Ｉ１に関連するコメントを検索し、それ以前に該ウェブページ情報Ｉ１に関連するコメント記録がなければ、該第２サブウインドウＷ２２内にはコメント内容は表示されない。
【００４９】
また、ステップＳ２２の後、さらにステップＳ２２２を包含し得る。ステップＳ２２２において、該第２サーバー４は該ウェブページ情報Ｉ１により検索を行ない、該ウェブページ情報Ｉ１に関連する該コメントＣ１とその他の新たに構築されたコメントを獲得し、並びにこれらのコメントを該第２装置２に伝送し、該ウェブページＰ１と同時に該第２装置２に表示する。このステップは、該第２装置２に、各使用者が第２装置２に新たに増加し且つ該ウェブページ情報Ｉ１に対応するコメントを反復して更新する。
【００５０】
図３を参照されたい。本実施例はさらに、該第２装置２中において、実行される第２コメントプログラム２０及び該第２装置２が包含する第２表示装置２４を包含し得る。該第２装置２は該第２コメントプログラム２０により該第１サーバー３と該第２サーバー４に接続し、かつ該第２コメントプログラム２０を通して該ウェブページＰ１を読み取る。
【００５１】
該第２コメントプログラム２０が該第２装置２中で実行される時は、該第２表示装置２４は第２メインウインドウＷ２０と第２サブウインドウＷ２２を表示し、並びに該ウェブページＰ１を該第２メインウインドウＷ２０に表示する。その後、該第２装置２は該第２コメントプログラム２０を通して該コメントＣ１を発生する。
【００５２】
該コメントＣ１を構築及び編集するインタフェースは、該第２サブウインドウＷ２２に表示し、該第２サブウインドウＷ２２は該第２メインウインドウＷ２０に重ねて表示するか平行に表示する。使用者は、該ウェブページＰ１に対照して該コメントＣ１を発生でき、該コメントＣ１を発生した後、該第２コメントプログラム２０は、該コメントＣ１を、該ウェブページＰ１よりキャプチャした該ウェブページ情報Ｉ１と、該第２サーバー４に伝送し保存する。
【００５３】
また、該第１コメントプログラム１０に類似し、該第２コメントプログラム２０もまた、特殊開発のブラウザとするか、或いは既存のブラウザ（たとえばＩＥ（登録商標）、Ｆｉｒｅｆｏｘ（登録商標）、Ｃｈｒｏｍｅ（登録商標）、ｓａｆａｒｉ（登録商標）、Ｏｐｅｒａ（登録商標））に、ウェブページ情報キャプチャとコメント読み取り等の機能を付加したブラウザプラグインとするか、或いは、その他の方式で実施され得て、ウェブページ閲覧とコメント閲読の機能を達成する。
【００５４】
ステップＳ１１〜ステップＳ１２の実施により、第１使用者は該第１装置１を利用して各第１サーバー３或いは第２サーバー４に接続して各サーバー中に保存された各ウェブページＰ１を読み取り、且つ該第２サーバー４或いは各第３装置５中より該ウェブページＰ１の該ウェブページ情報Ｉ１に対応する該コメントＣ１を読み取り、そして該コメントＣ１と該ウェブページＰ１を同時に表示し、該第１使用者に該ウェブページＰ１と該コメントＣ１を相互に対照並びに閲読させる。
【００５５】
ステップＳ２１〜ステップＳ２２の実施により、第２使用者は該第２装置２を利用して各第１サーバー３或いは該第２サーバー４に接続して各サーバー中に保存された各ウェブページＰ１を読み取り、且つ該第２装置２より該ウェブページＰ１の該ウェブページ情報Ｉ１に対応して該コメントＣ１を発生し、並びに該コメントＣ１と該ウェブページ情報Ｉ１を該第２サーバー４に保存する。このように該ウェブページＰ１の内容に対してコメント添付の操作を達成する。
【００５６】
このほか、該第１装置１は第１アカウントナンバーで該第２サーバー４にログインでき、該第２装置２は第２アカウントナンバーで該第２サーバー４にログインでき、ログイン後に、本発明の提供する追跡機能を利用して、主動的に特定使用者アカウントナンバーが発生するか或いは特定ウェブページ内容に対応して発生した更新コメントを取得できる。
【００５７】
アカウントナンバーでのログインと追跡設定の方式については、以下の説明を参照されたい。実施例を簡単明瞭とするため、以下の第２実施例から第４実施例はいずれも、第１サーバーよりウェブページを読み取る場合を例としており、かつ該第３装置を省略し、及びＰ２Ｐ技術でコメント伝送する方式を利用しているが、以下の実施例がＰ２Ｐ技術と併せて実施されなければならないと限定するものではない。
【００５８】
図５及び図６を参照されたい。各図は本発明の第２実施例の追跡設定装置表示図と追跡設定フローチャートである。図５に示すように、本発明の追跡設定の方法は、第１装置１、第２装置２、第１サーバー３及び第２サーバー４を包含する。該第１装置１は該第１コメントプログラム１０によりそれぞれ該第１サーバー３と該第２サーバー４に接続され、かつ第１アカウントナンバー１２により該第２サーバー４にログインし、該第２装置２は該第２コメントプログラム２０により、それぞれ該第１サーバー３と該第２サーバー４に接続され、さらに第２アカウントナンバー２２により該第２サーバー４にログインする。
【００５９】
該第１サーバー３はウェブページＰ１を保存し、該第２サーバー４はウェブページ情報Ｉ１、コメントＣ１及び第１アカウントナンバー追跡ターゲットＩ２を保存する。該ウェブページ情報Ｉ１は、該ウェブページＰ１よりキャプチャし、該コメントＣ１は、該ウェブページ情報Ｉ１に対応する。該第１アカウントナンバー追跡ターゲットＩ２は、該第１アカウントナンバー１２に関連し、並びに該第２アカウントナンバー２２或いは該ウェブページ情報Ｉ１が記入される。
【００６０】
第１実施例中で述べたように、該ウェブページ情報Ｉ１は、該ウェブページＰ１に対応するウェブアドレス或いは該ウェブページＰ１が包含する少なくとも一つの文字段落、少なくとも一つのイメージ、少なくとも一つの動画、少なくとも一つの嵌め込み外部情報或いは少なくとも一つのリンクウェブアドレス等のウェブページ内容を包含し得る。
【００６１】
図６に示されるように、本発明の追跡設定のフローは以下のステップを包含する。
ステップＳ３１：第１装置が第１アカウントナンバーにより第２サーバーにログインする。
ステップＳ３２０：該第１装置が第２アカウントナンバーを第１アカウントナンバー追跡ターゲットに記入する。
ステップＳ３２２：該第１装置がウェブページを第１アカウントナンバー追跡ターゲットに記入する。
ステップＳ３３：第２装置が第２アカウントナンバーにより該第２サーバーにログインする。
ステップＳ３４：該第２装置が第１サーバーが保存するウェブページを読み取る。
ステップＳ３５：該第２装置が該ウェブページのウェブページ情報に対応してコメントを発生する。
ステップＳ３６：該第２サーバーが該コメントと該ウェブページ情報を保存する。
ステップＳ３７：該第２サーバーが該コメントと該ウェブページ情報を該第１装置に伝送する。
ステップＳ３８：該第１装置が該ウェブページ情報により該ウェブページを読み取る。
ステップＳ３９：該ウェブページと該コメントが該第１装置に表示される。
【００６２】
ステップＳ３１中、該第１装置１は該第１コメントプログラム１０により該第２サーバー４に接続され、かつ該第１アカウントナンバー１２で該第２サーバー４にログインする。該第１装置１は、該第１アカウントナンバー１２の第１アカウントナンバー追跡ターゲットＩ２を設定できる。
【００６３】
もし、該第２アカウントナンバー２２が発布した該コメントＣ１を追跡する必要があれば、ステップＳ３２０に進入し、該第１装置１は該第１コメントプログラム１０により該第１アカウントナンバー１２が追跡する第２アカウントナンバー２２を設定する。そして該第２アカウントナンバー２２を記入した該第１アカウントナンバー追跡ターゲットＩ２を該第２サーバー４に伝送し、該第２サーバー４は、該第１アカウントナンバー追跡ターゲットＩ２を保存する。
【００６４】
もし、該ウェブページＰ１の該ウェブページ情報Ｉ１に対応して発布される該コメントＣ１を追跡する必要があれば、ステップＳ３２２に進入し、該第１装置１は該第１コメントプログラム１０により、該第１アカウントナンバー１２が追跡する該ウェブページ情報Ｉ１を設定する。そして該ウェブページＰ１を記入した該第１アカウントナンバー追跡ターゲットＩ２を該第２サーバー４に送り、該第２サーバー４は該第１アカウントナンバー追跡ターゲットＩ２を保存する。
【００６５】
ステップＳ３２０或いはステップＳ３２２の後に、ステップＳ３３に進入し、該第２装置２は該第２アカウントナンバー２２により該第２サーバー４にログインする。
【００６６】
ステップＳ３４〜ステップＳ３６は、前述の第１実施例のステップＳ２１〜ステップＳ２３と同じであり、ステップＳ３４中、該第２装置２は該第２コメントプログラム２０により該第１サーバー３に接続され、かつ該第１サーバー３に保存された該ウェブページＰ１を読み取る。
【００６７】
その後、ステップＳ３５において、該第２装置２は該第２コメントプログラム２０により、該ウェブページＰ１よりキャプチャした該ウェブページ情報Ｉ１に対応してコメントＣ１を発生する。
【００６８】
その後、ステップＳ３６において、該第２装置２は該第２コメントプログラム２０により該コメントＣ１と該ウェブページ情報Ｉ１を該第２サーバー４に伝送し、該第２サーバー４は該コメントＣ１と該ウェブページ情報Ｉ１を保存する。そして該コメントＣ１を、該ウェブページ情報Ｉ１に対応させ、並びに該第２アカウントナンバー２２に関連付ける。このように該コメントＣ１の構築を完成する。
【００６９】
ステップＳ３６の後、ステップＳ３７に進入し、該第２サーバー４は、第１アカウントナンバー追跡ターゲットＩ２中に記入された該第２アカウントナンバー２２或いは該ウェブページ情報Ｉ１により検索を行ない、該第２アカウントナンバー２２或いは該ウェブページ情報Ｉ１に関連する該コメントＣ１を得る。そして該コメントＣ１と該ウェブページ情報Ｉ１を、該第１アカウントナンバー１２で該第２サーバー４にログインする該第１装置１に伝送する。
【００７０】
ステップＳ３８において、該第１装置１は、該第１コメントプログラム１０を通し該ウェブページ情報Ｉ１に依り該ウェブページＰ１を読み取り、かつステップＳ３９において、該ウェブページＰ１と該コメントＣ１を同時に該第１装置１に表示する。
【００７１】
ステップＳ３１〜ステップＳ３９の実施により、第１使用者は該第１装置１を利用して、該第２アカウントナンバー２２或いは該ウェブページＰ１の該ウェブページ情報Ｉ１を、該第１アカウントナンバー１２の該第１アカウントナンバー追跡ターゲットＩ２に設定する。そして該コメントＣ１の発生後に、該第２サーバー４が伝送する該コメントＣ１と該ウェブページ情報Ｉ１を得て、且つ該ウェブページ情報Ｉ１により該ウェブページＰ１を読み取り、同時に該ウェブページＰ１と該コメントＣ１を表示する。このように該第２アカウントナンバー２２が構築した該コメントＣ１或いは該ウェブページ情報Ｉ１に対応して構築された該コメントＣ１を追跡する機能を達成する。
【００７２】
このほか、該ウェブページ情報Ｉ１に対応して発生したコメント更新は、該第２アカウントナンバー２２に関連する必要がないため、ステップＳ３２２の後、ステップＳ３３をスキップして、直接ステップＳ３４に進入できる。それでも該ウェブページ情報Ｉ１に対応して構築された該コメントＣ１の追跡の効果を達成できる。
【００７３】
また、前述の該第１装置１が主動的に該ウェブページ情報Ｉ１を該第１アカウントナンバー追跡ターゲットＩ２に記入する方式以外に、該第２装置２が該第２アカウントナンバー２２で該第２サーバー４にログインし、並びに該ウェブページ情報Ｉ１に対応して該コメントＣ１を発生し、該第２サーバー４も自動的に該ウェブページ情報Ｉ１を該第２アカウントナンバー２２に対応する第２アカウントナンバー追跡ターゲット（図示せず）に記入する。これにより第２使用者が自身が発布した該コメントＣ１の該ウェブページ情報Ｉ１を追跡するのに便利になる。
【００７４】
追跡目標設定以外に、本発明はまた、使用者がパスワード或いは権限開放リストを設定するのを許可してコメント閲覧可能な使用者を管理できる。パスワード或いは権限開放リストの設定の方式については、以下の説明を参照されたい。
【００７５】
図７Ａ、図７Ｂ及び図８を併せて参照されたい。各図は本発明の第３実施例のコメント設定装置の表示図（一）、コメント設定装置の表示図（二）及びコメント設定フローチャートである。図７Ａに示されるように、本発明のコメント開放権限設定の方法は、第１装置１、第２装置２、第１サーバー３及び第２サーバー４を包含する。
【００７６】
該第１装置１は該第１コメントプログラム１０によりそれぞれ該第１サーバー３と該第２サーバー４に接続され並びに第１アカウントナンバー１２により該第２サーバー４にログインする。該第２装置２は、該第２コメントプログラム２０によりそれぞれ該第１サーバー３及び該第２サーバー４に接続され並びに第２アカウントナンバー２２により該第２サーバー４にログインする。
【００７７】
該第１サーバー３はウェブページＰ１を保存し、該第２サーバー４はウェブページ情報Ｉ１、コメントＣ１及びコメント権限開放リストＩ３を保存する。該ウェブページ情報Ｉ１は、該ウェブページＰ１よりキャプチャし、該コメントＣ１は、該ウェブページ情報Ｉ１に対応し、該コメント権限開放リストＩ３は該コメントＣ１に関連し、かつ該第１アカウントナンバー１２を記録している。
【００７８】
図７Ｂに示されるように、本発明のコメントパスワード設定の方法は、第１装置１、第２装置２、第１サーバー３及び第２サーバー４を包含する。該第１装置１は、第１コメントプログラム１０を通して該第１サーバー３と該第２サーバー４に接続され、該第２装置２は該第２コメントプログラム２０を通してそれぞれ該第１サーバー３と該第２サーバー４に接続される。
【００７９】
該第１サーバー３はウェブページＰ１を保存し、該第２サーバー４はウェブページ情報Ｉ１、コメントＣ１及びコメントパスワードＩ４を保存する。該ウェブページ情報Ｉ１は、該ウェブページＰ１よりキャプチャされ、該コメントＣ１は、該ウェブページ情報Ｉ１に対応し、該コメントパスワードＩ４は該コメントＣ１に関連する。
【００８０】
第１実施例及び第２実施例に記載のように、該ウェブページ情報Ｉ１は、該ウェブページＰ１に対応するウェブアドレス或いは該ウェブページＰ１が包含する少なくとも一つの文字段落、少なくとも一つのイメージ、少なくとも一つの動画、少なくとも一つの嵌め込み外部データ或いは少なくとも一つの外部リンクウェブアドレス等のウェブページ内容を包含し得る。
【００８１】
図８に示されるように、本発明のコメント設定のフローは以下のステップを包含する。
ステップＳ４１０：第２装置が第２アカウントナンバーで第２サーバーにログインする。
ステップＳ４１：第２装置が第１サーバーが保存するウェブページを読み取る。
ステップＳ４２：該第２装置が該ウェブページのウェブページ情報に対応してコメントを発生する。
ステップＳ４３０：該第２装置は第１アカウントナンバーをコメント権限開放リストに記入する。
ステップＳ４３２：該第２装置がコメントパスワードを設定する。
ステップＳ４４０：該第２サーバーが該コメント、該ウェブページ情報及び該コメント権限開放リストを保存する。
ステップＳ４４２：該第２サーバーが該コメント、該ウェブページ情報及び該コメントパスワードを保存する。
ステップＳ４５０：第１装置が該第１アカウントナンバーで該第２サーバーにログインする。
ステップＳ４５：該第１装置が該ウェブページを読み取る。
ステップＳ４５２：該第１装置が該コメントパスワードを入力する。
ステップＳ４６：該第１装置が該ウェブページ情報により、該第２サーバーより該コメントを取得する。
ステップＳ４７：該ウェブページと該コメントを該第１装置に同時に表示する。
【００８２】
ステップＳ４１０において、該第２装置２は該第２コメントプログラム２０を通して該第２サーバー４に接続され、かつ該第２アカウントナンバー２２で該第２サーバー４にログインする。これは後続の、該コメント権限開放リストＩ３の設定前に必須のステップであり、もし、該コメントパスワードＩ４のみを設定するのであれば、ステップＳ４１０は実行せずに、直接ステップＳ４１より開始できる。
【００８３】
ステップＳ４１において、ステップＳ４２とステップＳ４４０或いはステップＳ４４２は、前述の第１実施例のステップＳ２１〜ステップＳ２３とほぼ同じである。ステップＳ４１中、該第２装置２は該第２コメントプログラム２０を通して該第１サーバー３に接続され、かつ該第１サーバー３に保存された該ウェブページＰ１を読み取る。
【００８４】
その後、ステップＳ４２において、該第２装置２は該第２コメントプログラム２０を通して、該ウェブページＰ１よりキャプチャした該ウェブページ情報Ｉ１に対応して該コメントＣ１を発生する。
【００８５】
ステップＳ４２の後、もし、該コメントＣ１の閲覧を許可する使用者アカウントナンバーを限定する必要があれば、ステップＳ４３０に進入し、該第２装置２が該第２コメントプログラム２０を通して該第１アカウントナンバー１２をコメント権限開放リストＩ３に記入する。そしてステップＳ４４０に進入し、該第２装置２より、該第２コメントプログラム２０を通して該コメントＣ１、該ウェブページＰ１に対応する該ウェブページ情報Ｉ１及び該コメント権限開放リストＩ３が、該第２サーバー４に送られる。該第２サーバー４はこれを受けて該コメントＣ１、該ウェブページ情報Ｉ１及び該コメント権限開放リストＩ３を保存し、並びに該コメント権限開放リストＩ３を該コメントＣ１に関連づける。
【００８６】
もし、パスワードを設定してその他の使用者が該コメントＣ１を観るのを制限する必要があれば、次にステップＳ４３２に進入し、該第２装置２が該第２コメントプログラム２０を通して該コメントパスワードＩ４を設定する。そしてステップＳ４４２において、該コメントＣ１、該ウェブページ情報Ｉ１及び該コメントパスワードＩ４を該第２サーバー４に伝送する。該第２サーバー４はこれを受けて、該コメントＣ１、該ウェブページ情報Ｉ１及び該コメントパスワードＩ４を保存し、並びに該コメントパスワードＩ４を該コメントＣ１に関連づける。
【００８７】
ステップＳ４４０或いはステップＳ４４２の後、ステップＳ４５に進入し、該第１装置１は該第１コメントプログラム１０を通して、該第１サーバー３に接続し、並びに該第１サーバー３が保存する該ウェブページＰ１を読み取る。
【００８８】
もし、その前にステップＳ４３０とステップＳ４４０を実行し、該コメント権限開放リストＩ３が設定されれば、ステップＳ４６の前にステップＳ４５０を実行する（ステップＳ４５の前後いずれでもよい）。該第１装置１が該第１コメントプログラム１０を通して該第２サーバー４に接続され、かつ該第１アカウントナンバー１２で該第２サーバー４にログインし、続いて該第２サーバー４が、該第１装置１が該コメントＣ１を取得するのを許容できるようにする。
【００８９】
また、もし、その前にステップＳ４３２とステップＳ４４２が実行されれば、ステップＳ４５０を実行しなくてもよい。もしその前にステップＳ４３２とステップＳ４４２が実行されて該コメントパスワードＩ４が発生すれば、ステップＳ４５２を実行する必要があり、該第１装置１より該第１コメントプログラム１０を通して、該コメントパスワードＩ４を入力し、並びに該第２サーバー４に接続し、且つ該コメントパスワードＩ４を伝送する。
【００９０】
該第２サーバー４は該コメントパスワードＩ４が正しいことを確認した後、ステップＳ４６を実行する。また、もし、その前にステップＳ４３０とステップＳ４４０が実行されていれば、ステップＳ４５２を実行する必要はない。
【００９１】
ステップＳ４６からステップＳ４７と前述の第１実施例のステップＳ１２はほぼ同じであり、該第２サーバー４は該ウェブページ情報Ｉ１に対応する該コメントＣ１を該第１装置１に伝送し、該コメントＣ１及び該ウェブページＰ１を同時に該第１装置１に表示する。
【００９２】
ステップＳ４１〜ステップＳ４７の実施により、第２使用者は、該コメントＣ１を構築する時に、該コメント権限開放リストＩ３或いはコメントパスワードＩ４を設定でる。該コメント権限開放リストＩ３が記録する該第１アカウントナンバー１２もしくは該コメントパスワードＩ４を知り得る第１使用者が、第１アカウントナンバー１２でログインするか或いはコメントパスワードＩ４を入力して、該コメントＣ１を読み取れるようにする。このようにしてコメント共有対象限定の効果を達成する。
【００９３】
最後、前述の第１実施例中、該第１装置１が該第１コメントプログラム１０を通してそれぞれ該第１サーバー３と該第２サーバー４に接続され、該第２装置２が該第２コメントプログラム２０を通して該第１サーバー３と該第２サーバー４に接続される以外に、本発明のウェブページコメントの共有及び追跡の方法はまた、該第１装置１が該第１コメントプログラム１０を通して該第２サーバー４に接続される。さらに該第２サーバー４を介して該第１サーバー３に接続し、該第２装置２が該第２コメントプログラム２０を通して該第２サーバー４に接続され、該第２サーバー４を介して該第１サーバー３に接続する方式で実施可能である。その装置間の連結関係については以下の第４実施例の説明を参照されたい。
【００９４】
図９を参照されたい。各図は本発明の第４実施例の装置表示図である。図示するように、本発明のウェブページコメントの共有及び追跡の方法は、第１装置１、第２装置２、第１サーバー３、及び第２サーバー４を包含する。該第１装置１は第１コメントプログラム１０を通して該第２サーバー４に接続され、さらに、該第２サーバー４を介して該第１サーバー３に接続される。該第２装置２は、第２コメントプログラム２０を通して該第２サーバー４に接続され、さらに該第２サーバー４を介して該第１サーバー３に接続される。
【００９５】
第４実施例と第１実施例の実施フローはほぼ同じであり、その主要な差異は、第４実施例においては、該第１装置１の該第１コメントプログラム１０及び該第２装置２の該第２コメントプログラム２０はいずれも、該第２サーバー４に接続されること。該第２サーバー４を介して該第１サーバー３に接続され、該第２サーバー４は直接、該第１サーバー３より該ウェブページ情報Ｉ１を取得できること。さらに該第１装置１より該第１コメントプログラム１０を通して或いは該第２装置２より該第２コメントプログラム２０を通してキャプチャし並びに該ウェブページ情報Ｉ１を該第２サーバー４に伝送する必要がないことである。
【００９６】
つまり前述の第１実施例のステップＳ２３においては、該第２サーバー４は該コメントＣ１と該ウェブページ情報Ｉ１を取得して保存するが、本実施例中では該第２サーバー４は該第２装置２より該コメントＣ１を取得する。そして該第１サーバー３が該ウェブページ情報Ｉ１を取得し、本実施例の接続方式を以て、第２実施例或いは第３実施例のステップフローを実施した後、第１実施例同様にコメント更新追跡及びコメント読み取り対象制限の効果を達成できる。原理はほぼ同じであるため、ここでは詳しい説明は行わない。
【００９７】
総合すると、本発明はウェブページコメントの共有及び追跡の方法であり、それは、第１装置でウェブページを読み取り、及び該ウェブページの少なくとも一つのウェブページ情報により、第２サーバー或いは少なくとも一つの第３装置より該ウェブページに対応する少なくとも一つのコメントを取得し、並びに該ウェブページと該コメントを同時に該第１装置に表示することを含む。
【００９８】
該コメントの発生のステップは、第２装置が該ウェブページを読み取り並びに該ウェブページの少なくとも一つのウェブページ情報に対応して少なくとも一つのコメントを発生し、且つ該第２サーバーに該コメントと該ウェブページ情報を保存する。
【００９９】
上述のステップの実施により、本発明は使用者がウェブページを閲覧する時に、ウェブページ内容に対応するコメントを発表できるようにし、並びに全体或いは一部のその他使用者と共有し、該コメントはウェブページのウェブアドレスに対応するのみならず、さらにウェブページの内容に対応し、ウェブページ内容が転載或いは引用する時、この内容を転載或いは引用するウェブページも、関係コメントを読み取ることができ、コメントをより容易に伝播し、より多くの使用者と共有することができる。
【０１００】
このほか、本発明はさらに、特定使用者アカウントナンバー或いは特定ウェブページ内容を追跡目標として設定できる機能を提供し、使用者に特定使用者アカウントナンバーが発表する最新コメントか特定ウェブページ内容に対応して発表された最新コメントに注目させることができ、ウェブページコメント機能プラットフォームを基礎として、ウェブページコメント相互共有のインタラクティブソーシャルネットワークを発展させることができる。
【０１０１】
ゆえに、本発明は、新規性、進歩性を有し、産業上の利用を提供でき、特許の要件に符合する。
【０１０２】
以上述べたことは、本発明の実施例にすぎず、本発明の実施の範囲を限定するものではなく、本発明の特許請求の範囲に基づきなし得る同等の変化と修飾は、いずれも本発明の権利のカバーする範囲内に属するものとする。
【符号の説明】
【０１０３】
１  第１装置
１０  第１コメントプログラム
１２  第１アカウントナンバー
１４  第１表示装置
２  第２装置
２０  第２コメントプログラム
２２  第２アカウントナンバー
２４  第２表示装置
３  第１サーバー
４  第２サーバー
５  第３装置
５０  第３コメントプログラム
Ｃ１  コメント
Ｉ１  ウェブページ情報
Ｉ２  第１アカウントナンバー追跡ターゲット
Ｉ３  コメント権限開放リスト
Ｉ４  コメントパスワード
Ｐ１    ウェブページ
Ｗ１０  第１メインウインドウ
Ｗ１２  第１サブウインドウ
Ｗ２０  第２メインウインドウ
Ｗ２２  第２サブウインドウ
【図１】
0005638595.tif 000002
【図２】
0005638595.tif 000003
【図３】
0005638595.tif 000004
【図４】
0005638595.tif 000005
【図５】
0005638595.tif 000006
【図６】
0005638595.tif 000007
【図７Ａ】
0005638595.tif 000008
【図７Ｂ】
0005638595.tif 000009
【図８】
0005638595.tif 000010
【図９】
0005638595.tif 000011